Podtech/llm-jp-corpus-v4-ja_patent huggingface dataset:
(57)【要約】【課題】従来の技術には通常の歩行や足踏みによって片側ずつ、交互に接地時に加重されたＷ字の底部の踏みつけプレートを踏むことで、一体化された揉みほぐしアームが連動して挟みながら足の疲労回復に効果のある、くるぶし上部のアキレス腱内側や、その周辺を揉みほぐす事ができる足のマッサージ器具があるが長い間、靴を履き続けた結果、人によっては指が曲がる、外反母趾になる等、変形した足には効果がないと思われる。【解決手段】足に装着した足背から足指までの足背側の空気袋と指間部を含む足指下の空気袋と土踏まず下の空気袋、３つの夫々の空気袋に交互に送気、脱気を繰り返して足指を挙上、伸展、屈曲、指間部を広げる事でリハビリを行う。【選択図】図２
2015116463.tif 000002
【特許請求の範囲】
【請求項１】
足に装着した足背から足指までの足背側の空気袋と指間部を含む足指下の空気袋と土踏まず下の空気袋、３つの夫々の空気袋に交互に送気、脱気を繰り返し行って足指を挙上、伸展、屈曲、指間部を広げる事でリハビリを行う事を特徴とする足指に心地良いリハビリ具
【発明の詳細な説明】
【技術分野】
【０００１】本発明はゴム製の空気袋に送気、脱気を繰り返し行って足指の運動をする事で、足指の機能を保つリハビリ具に関する。
詳しくは空気袋を利用して足指を挙上、伸展、屈曲、指間部を開く等の運動を行うリハビリ具に関する。
【背景技術】
【０００２】今までの技術には通常の歩行や足踏みによって片側ずつ交互に接地時に加重された踵がＷ字の底部の踏みつけプレートを踏むことで、一体化された揉みほぐしアームが連動して挟まりながら足の疲労回復に効果のあるくるぶし上部のアキレス腱内側や、その周辺を揉みほぐす事ができる足のマッサージ器具がある。（例えば特許文献  １参照）
【特許文献１】  特開  ２００６−８７８４９
【発明の開示】
【発明が解決しようとする課題】
【０００３】上記記載の先例技術である特許文献１は揉みほぐしアームが疲労した足を揉みほぐす事で疲労回復に効果があるが、長い間、靴を履き続けた結果、人によっては指が曲がる、外反拇指になる等変形した足には効果がないと思われる。
【課題を解決する為の手段】
【０００４】足にゴム製の空気袋を装着して送気、脱気を交互に行って足指を挙上、伸展、屈曲、指間部を広げるリハビリを行う事で足指の機能を保つ工夫をした
【０００５】ゴム製の空気袋は足背から足指までの足背側の空気袋、指間部を含む足指下の空気袋、土踏まず下の空気袋を装着する事とした
【発明の効果】
【０００６】足指を挙上する、水平に伸ばす、屈曲する、指間部を広げる等のリハビリは足指の変形が軽減して形が整い安楽になる。
【０００７】足指のリハビリは指の形を整えると共に動きが良くなるので歩行が容易になり、転倒を予防できる。
【０００８】リハビリの施行は血行を促進して足指の健康を促す。
【発明を実施するための最良の形態】
【０００９】本発明の形態を図に従って説明する。図１は足指に心地良いリハビリ具を装着した足を上から見た図である。足を足背側と足指下の空気袋の間に入れ、足指に指間部の空気袋をきちんと装着している。空気袋は足指に当たった時に柔らかく、変形に対応して形を変える事が出来る、又、リハビリ中に圧力の強弱にも対応が出来るので適応力のない足指には適している。【００１０】  空気袋はゴム製で外側に布を貼用してゴムの伸び縮を抑えた物である。３つの空気袋は送気、脱気を繰り返して、足指の挙上、伸展、屈曲、指間を開く。３つの空気袋は膨らんだ時の形は目的により、異なるが繋がっている。土踏まず下の空気袋は足指下の空気袋と繋がり、足指下の空気袋は指間部の空気袋が足背側の空気袋に着けてあるので繋がっている。送気、脱気は夫々の空気袋にチューブが装着され、エアーポンプで送気し、一定の圧力になると、５秒位経過後に脱気され自動血圧計の様な仕組みとなる。エアーポンプは３つの空気袋に送気を行い、互い違いに膨らんだり、脱気したりするが、これはコンピューターによりコントロールされる事となる。【００１１】空気袋は足背側と足指下と土踏まず下に分かれている。足指下と土踏まず下の空気袋は下部が接着剤で足底板に固定され空気袋に送気、脱気が行われる刺激で位置が移動しない様にされている。足背側の空気袋は足背から足指まで覆う大きさで足底板の左右横に付いているベルトで足に留められる。
ベルトは足背から足指まで覆う幅で足低板の左右横から出ており、先に付いているマジックテープで空気袋を上から覆うように固定する。ベルトはしっかりした少々は伸び縮みのある材質で指の挙上、伸展、屈曲に対応できる物がよい。
足底板は靴底の様な材質で上部は空気袋が固定され、空気袋に送気、脱気を繰り返しても変形しない物がよく、ベルトが着けられる厚さが必要である。【００１２】図２は足指を膨らんだ足指下の空気袋が挙上している図である。足指を挙上させる空気袋は中足骨部位から指先まであり、中足骨部位は空気量が少なく指先になるに従って多く、足指下で最大５ｃｍ高さの三角状になって足指を挙上させ指間部も開くが空気量は空気袋が足指に当たる圧により調節される。
指間部の空気袋は足指間から下駄の鼻緒のように出て足背側の空気袋に繋がるが足指下の空気袋の一部であるので空気の流通はない。
足指が挙上されている時は足背側と土踏まずの空気袋を脱気する事で足指を挙上し易く、指間を開き易くしている。【００１３】図３は足背側の膨らんだ空気袋が足指を圧迫して指関節を伸ばしている図である。
足指は空気が足背側の空気袋に入るに従ってゆっくり圧迫され、普通であれば伸展する。
しかし関節が上に湾曲している、横の指上に乗っている等、変形した足指は圧迫だけで十分に伸ばす事は難しいので圧迫時は出来れば自分で伸ばすのを手伝う必要がある。
足指を伸展している時、空気袋は足背側の空気袋のみ膨らんでいる。上から水平に圧迫する為には足指下と土踏まず下の空気袋が脱気している事で足指は足底板に水平に乗り、伸展の効果がみられる。【００１４】図４は足背側の膨らんだ空気袋が足指を屈曲させている図である。足指は足背側の空気袋が圧迫しただけでは屈曲できない。足指下の空気袋を脱気すると共に土踏まず下の空気袋を膨らませて足指下に空間を作る事で屈曲できる。この時、ベルトも収縮して屈曲を助ける。
土踏まず下の空気袋が５ｃｍ位足を持ち上げると同時に足指下、指間部の空気袋が脱気するので屈曲が楽に出来る。
【図面の簡単な説明】
【００１５】
【図１】足指に心地良いリハビリ具を装着した足を上から見た図
【図２】足指を膨らんだ足指下の空気袋が挙上している図
【図３】足背側の膨らんだ空気袋が足指を圧迫して指関節を伸ばしている図
【図４】足背側の膨らんだ空気袋が足指を屈曲させている図
【符号の説明】
【００１６】１    ベルト
２    足背側の空気袋
３    足指
４    足指下の空気袋
５    指間部の空気袋
６    足底板
７    指骨
８    中足骨
９    土踏まず下の空気袋
１０  足
１１  チューブ
１２  エアーポンプ
１３  電源の差し込み
【図１】
2015116463.tif 000003
【図２】
2015116463.tif 000004
【図３】
2015116463.tif 000005
【図４】
2015116463.tif 000006
(57)【要約】【課題】原動機より回転が伝わるシャフトに対し、そのシャフトと回転軸が一致していない軸へ回転を伝達する方法を低コストで実現する。【解決手段】シャフトの回転軸の方向とは違う方向に突起部をつける、またはシャフトと平行に突起部をつける。【選択図】図１
2015127584.tif 000002
【特許請求の範囲】
【請求項１】
原動機から伝わる動力により回転するものであり、回転軸上において回転軸の方向とは違う方向、または回転軸と平行に突起部が出ていることを特徴としたシャフト
【発明の詳細な説明】
【技術分野】
【０００１】      この発明は、回転する事で動力を伝達するシャフトの構造に関するものである。
【背景技術】
【０００２】      従来、原動機より回転が伝わるシャフトに対し、そのシャフトと回転軸が一致していない軸へ回転を伝達するためには歯車やユニバーサルジョイントを用いていた。
【先行技術文献】
【特許文献】
【特許文献１】
【特許文献２】
【非特許文献】
【非特許文献１】
【非特許文献２】
【発明の概要】
【発明が解決しようとする課題】
【０００５】      しかしながら歯車やユニバーサルジョイントのような従来技術を用いた場合、その部品を製作するためには材料の調達や加工設備の準備にコストがかかるものであり、また構造が複雑になるため故障の原因になったり、故障時の部品交換のコストを上げる結果ともなっていたため、本発明ではこれを解決する事を課題とした。
【課題を解決するための手段】
【０００６】  上記の課題を解決する方法として第一発明は、原動機から伝わる動力により回転するものであり、回転軸上において回転軸の方向とは違う方向、または回転軸と平行に突起部が出ていることを特徴としたシャフトである。
【発明の効果】
【０００７】  第一発明を用いると、理論上は「シャフトを曲げる」だけでも、一致しない二つの軸間の動力の伝達が可能となり、製造や修理のためのコストが大幅に削減出来る。
【図面の簡単な説明】
【０００８】
【図１】本発明の一実施形態を示す斜面図である。
【図２】本発明の一実施形態を示す側面図である。
【図３】本発明の一実施形態を示す側面図である。
【図４】本発明の一実施形態を示す側面図である。
【図５】本発明の一実施形態を示す斜面図である。
【発明を実施するための形態】
【０００９】  まず本発明におけるシャフトの説明を図２を用い行う。
シャフトは回転軸１と、その先端にある突起２により構成されている。
突起２の長さおよび数は、本発明の機能が維持されるのであればどのようなものであっても構わず、また図２と図３を比べた場合に分かるように、シャフトの軸と同方向でなければ突起２がどのような向きを向いていても構わず、さらに図４のように突起２がどのような形状であっても構わないほか、加えて図５のようにシャフト１と突起２が同方向ではあるものの並行であったり、突起２との間にフランジ部６が介されていたり、フランジ部からボルト７のように別の突起等が出ていても構わない。
【実施例】
【００１０】  実施例を図１を用い説明する。
まず台座５の上に原動機３と、さらにその原動機３からの動力を受けて動く機械４が取り付けられている。
また原動機３と機械４は双方から伸びている回転軸１を用い動力を伝達するのであり、本来ならば双方の回転軸１の軸線は完全に一致させて結合が出来れば理想的なのであるが、これが難しい場合に本発明が役に立つ。
具体的には２本の回転軸１双方の結合部に突起２が来るようにし、原動機３がシャフト１を回転させる事で、原動機３の側の突起２が機械４の側の突起２に接触し、動力を伝達する。
この方法に寄る欠点としては、１回転の間に回転速度が変化したり、逆回転を行う際に原動機３が機械４へ動力を伝達しない時間が大きくなってしまう、回転軸１のズレや傾きが大きすぎると機能しないと言う問題点があるが、本発明品の製作の容易さはこれらの問題点を十分に補える場面があるはずである。
【産業上の利用可能性】
【符号の説明】
【受託番号】
【図１】
2015127584.tif 000003
【図２】
2015127584.tif 000004
【図３】
2015127584.tif 000005
【図４】
2015127584.tif 000006
【図５】
2015127584.tif 000007
(57)【要約】【課題】両面テープを用いて２つの面を接着しようとする時、片方の面に圧着した両面テープの剥離紙がスムーズに剥がせるように、不織布の表裏に粘着剤を水玉模様状に配した接着層を剥離紙で挟んだ点着型両面テープを提供する。【解決手段】不織布（１）の表裏に粘着剤（２）を水玉模様状（３）に配した接着層（４）を剥離紙（５）で挟んだ点着型両面テープを特徴とする。【選択図】図１
2015127379.tif 000002
【特許請求の範囲】
【請求項１】
不織布（１）の表裏に粘着剤（２）を水玉模様状（３）に配した接着層（４）を剥離紙（５）で挟んだ点着型両面テープ。
【発明の詳細な説明】
【技術分野】
【０００１】この発明は、不織布の表裏に粘着剤を水玉模様状に配した接着層を剥離紙で挟んだ点着型両面テープに関するものである。
【背景技術】
【０００２】従来、両面テープの接着層は、不織布の表裏に粘着剤が全面的に施されていて、これを剥離紙が挟んでいた。
【先行技術文献】
【特許文献】
【０００３】
【特許文献１】
【発明の概要】
【発明が解決しようとする課題】
【０００４】これは次のような欠点があった。
接着しようとする２つの面の片側に両面テープを圧着し、いざ、剥離紙を剥がそうとすると、剥離紙が接着層からなかなか剥がれず、イライラさせられる事が多々あった。
本発明は、このような欠点をなくすためになされたものである。
【課題を解決するための手段】
【０００５】不織布（１）の表裏に粘着剤（２）を水玉模様状（３）に配した接着層（４）を剥離紙（５）で挟む。本発明は、以上の構成よりなる点着型両面テープである。
【発明の効果】
【０００６】接着しようとする２つの面の片側に点着型両面テープを圧着し、剥離紙を剥がす時、点着型両面テープの場合は、爪などを粘着剤が配されていない部分に引っかける事ができる為、剥離紙をスムーズに剥がすことができ、ストレスなく、接着作業を進める事ができる。
【図面の簡単な説明】
【０００７】
【図１】本発明の部分を拡大した断面図である。
【図２】本発明の接着層の平面図である。
【発明を実施するための形態】
【０００８】以下、本発明を実施するための形態について説明する。
不織布（１）の表裏に粘着剤（２）を水玉模様状（３）に配した接着層（４）を剥離紙（５）で挟む。本発明は、以上のような構造であり、使い方は、従来の両面テープと同じく、接着しようとする２つの面の片側に点着型両面テープを圧着し、剥離紙を剥がした後、もう一方の面を圧着すればよい。
【符号の説明】
【０００９】１  不織布
２  粘着剤
３  水玉模様状
４  接着層
５  剥離紙
【図１】
2015127379.tif 000003
【図２】
2015127379.tif 000004
(57)【要約】【課題】オートマチック車がエンジン稼働中、運転者が任意にパーキングレンジでシフトレバーをロックさせて仮眠した場合、シフトレバーのロックの解除には、サイドブレーキおよび指で操作するスイッチの操作で行わねばならないようにする。【解決手段】シフトレバーのロックの解除には、サイドブレーキを外し、指で操作するスイッチでロック解除操作を行う電気回路で解決する。【選択図】図１
2015127202.tif 000002
【特許請求の範囲】
【請求項１】
シフトレバーがロックされるには、サイドブレーキをかけ、指で操作するスイッチ（So）でロック操作し、シフトレバーがロック解除されるには、サイドブレーキを外し、指で操作するスイッチ（So）でロック解除操作を行う電気回路。
【発明の詳細な説明】
【技術分野】
【０００１】
本発明は、オートマチック車のエンジン稼働中に、重要な動力伝達装置に係るシフトレバーをパーキングレンジでロックやロック解除させるには、サイドブレーキおよび指で操作するスイッチの操作で行う電気回路に関するものである。
【背景技術】
【０００２】
シートバックを倒した時に、連動してシフトレバーをロックする発明があるが、運転者が座ったままで仮眠する場合のシフトレバーのロックには無効となる。
【先行技術文献】
【特許文献】
【０００３】
【特許文献１】特開２００７−２９０６７４号公報
【発明の概要】
【発明が解決しようとする課題】
【０００４】
解決しようとする課題は、オートマチック車のエンジン稼働中に、運転者が任意にシフトレバーをパーキングレンジでロックして仮眠した場合、シフトレバーのロックを解除するには、サイドブレーキおよび指で操作するスイッチの操作を行わねばならないようにすることである。
【課題を解決するための手段】
【０００５】
本発明は、運転者がパーキングレンジでシフトレバーをロックさせて仮眠した場合、シフトレバーのロックの解除には、サイドブレーキおよび指で操作するスイッチの操作で行う特徴の電気回路である。
【発明の効果】
【０００６】
本発明は、重要な動力伝達装置に係るシフトレバーのロックの解除には、サイドブレーキの外し操作および指で操作するスイッチのロック解除操作で行わねばならず、運転者はシートバックを倒して仮眠した場合や座ったままで仮眠した場合に安心である。
【図面の簡単な説明】
【０００７】
【図１】図１はシフトレバーロック解除時の電気回路図の一例である。
【図２】図２はシフトレバーロック時の電気回路図の一例である。
【図３】図３はシフトレバーロック時のソレノイドの正面図である。
【発明を実施するための形態】
【０００８】
図１で示すように、イグニッションオン電源（Bi）が供給された状態で、ソレノイド（Sol）が動作状態になり、サイドブレーキをかけ、指で操作するスイッチ（So）でロック操作をすると、電流（f）および電流（g）が切断される。すると、ソレノイドのプランジャ（２）が突出し、シフトレバー（１）がロックされる。
【０００９】
図２で示すように、サイドブレーキを外し、指で操作するスイッチ（So）でロック解除操作を行うと、電流（f）が流れる。すると、ソレノイドのプランジャ（２）が格納され、シフトレバー（１）はロック解除される。
【実施例１】
【００１０】
サイドブレーキをかけ、指で操作するスイッチ(So)でロック操作をすると、ソレノイドのプランジャ（２）を突出させてシフトレバー（１）がロックされ、サイドブレーキを外し、指で操作するスイッチ（So）でロック解除操作を行うと、ソレノイドのプランジャ（２）を格納させてシフトレバー（１）がロック解除される電気回路である。
【産業上の利用可能性】
【００１１】
この発明は大きな場所を取らず、自動車の設計に組み込みが平易である。
【符号の説明】
【００１２】
１    シフトレバー
２    プランジャ
３    モニター
Bi    イグニッションオン電源
B    リレー用電源
Sb    サイドブレーキモニタースイッチ
So    操作スイッチの代表
Sol    ソレノイド
Re    リレー
f    電流
g    電流
【図１】
2015127202.tif 000003
【図３】
2015127202.tif 000004
【図２】
2015127202.tif 000005
(57)【要約】【課題】症状のある箇所を誰でも明確に図示できるようにするとともに、保険診療と保険適用外診療とを患者として正確に把握し記録することを可能にする診療記録用紙の提供。【解決手段】症状の概要を含む問診内容を記載する箇所と保険適用診療及び保険適用外診療の内容を記載する箇所とを1枚の用紙に、または連続用紙に設定したことを特徴とする診療記録用紙。【選択図】図２
2015127842.tif 000002
【特許請求の範囲】
【請求項１】
症状の概要を含む問診内容を記載する箇所と保険適用診療及び保険適用外診療の内容を記載する箇所とを1枚の用紙に、または連続用紙に設定したことを特徴とする診療記録用紙。
【請求項２】
少なくとも保険適用診療及び保険適用外診療の内容を記載する箇所が複写用紙である請求項１に記載の診療記録用紙。
【請求項３】
症状の概要を含む問診内容を記載する箇所が人体の概略図を含むである請求項１または２に記載の診療記録用紙。
【請求項４】
症状の概要を含む問診内容を記載する箇所と保険適用診療及び保険適用外診療の内容を記載する箇所とを1枚の用紙であり全体が複写用紙である請求項１に記載の診療記録用紙。
【発明の詳細な説明】
【技術分野】
【０００１】
本発明は、診療記録用紙に関する。
【背景技術】
【０００２】
一般に、接骨院においては、初めて来院する患者に対して問診表（予診表）を渡し、現在の症状の概要や症状発生の時期に加えて、既往歴、体質などを書いてもらうことがよく行われている。診断の精緻化を図ることができるとともに、患者自身や患者の家族等の代理人に自筆で記入してもらうことにより、患者と施術側とのトラブルを避ける機能も有している。接骨院で使用されている問診表の一例を図１に示す。
【０００３】
しかし、接骨院に来院する患者にとって、症状のある箇所を明確に言葉で表現するのは難しい場合も多い。また、診療後の問題として、接骨院の場合、保険診療と保険適用外診療とが混在している場合も多く、どのような内訳で診療が行われているか患者として正確に把握し記録するのが難しい。
【発明の開示】
【発明が解決しようとする課題】
【０００４】
本発明は、上記問題の解決を目的とするものであり、症状のある箇所を誰でも明確に図示できるようにするとともに、保険診療と保険適用外診療とを患者として正確に把握し記録することを可能にする診療記録用紙（本発明において「診査表」という）を提供する。
【課題を解決するための手段】
【０００５】
本発明者らは、上記課題の解決手段を検討し、以下の発明を完成するに至った。
［１］症状の概要を含む問診内容を記載する箇所と保険適用診療及び保険適用外診療の内容を記載する箇所とを1枚の用紙に、または連続用紙に設定したことを特徴とする診療記録用紙。
［２］少なくとも保険適用診療及び保険適用外診療の内容を記載する箇所が複写用紙である前記１に記載の診療記録用紙。
［３］症状の概要を含む問診内容を記載する箇所が人体の概略図を含むである前記１または２に記載の診療記録用紙。
［４］症状の概要を含む問診内容を記載する箇所と保険適用診療及び保険適用外診療の内容を記載する箇所とを1枚の用紙であり全体が複写用紙である前記１に記載の診療記録用紙。
【発明の効果】
【０００６】
保険診療と保険適用外診療とを、患者が正確に区別し把握し記録することが可能になる。また、症状のある箇所を誰でも明確に図示できる。
【図面の簡単な説明】
【０００７】
【図１】従来の問診表の一例を示す書式図。
【図２】本発明の診査表の一例を示す書式図。
【発明を実施するための形態】
【０００８】
以上の目的を達成するため、本発明の原理にしたがって、下記の発明を開示する。 
【０００９】
本発明は、症状の概要を含む問診内容を記載する箇所と保険適用診療及び保険適用外診療の内容を記載する箇所とを1枚の用紙に、または連続用紙に設定したことを特徴とする診療記録用紙である。
【００１０】
症状の概要を含む問診内容を記載する箇所と保険適用診療及び保険適用外診療の内容を記載する箇所とが1枚の用紙に記録されている場合、両者が実質的に区別して記載されていればよい。通常は、前者を紙面上部に、後者を紙面の中部及び／または下部に記載するが、紙面を左右に分けて前者を紙面左部に、後者を紙面の右部に記載してもよい。連続用紙とする場合は、問診内容を記載する箇所と保険適用診療及び保険適用外診療の内容を記載する箇所とは別の用紙としてもよいが一体として綴られるようにする。
【００１１】
症状の概要を含む問診内容は、一般に問診表を使う分野において慣用されている内容であり、現在の症状の概要や症状発生の時期に加えて、患者の既往歴、薬歴、体質などである。もっとも、本発明においてはこれらのすべてが記載されている必要はないし、これら以外の項目を設けてもよい。
【００１２】
一般にこれは図２に示すように、枠などで囲って項目の違いが明確に理解できるようにすることが好ましい。また、症状の概要を含む問診内容を記載する箇所が人体の概略図を含むことが好ましい。その表記方法は使用分野において種々に設定可能であるが、全身を対象とする場合は、図２のように、全身像の表面と裏面のように表す。もちろん、これ以外の表記も可能であり、四肢や腰等、障害が発生しやすい部位の拡大図を設けてもよいし、側面図を設けてもよい。その他、場合によっては頭部の拡大図を設けてもよい。
【００１３】
本発明においては少なくとも保険適用診療及び保険適用外診療の内容を記載する箇所を複写用紙とする。これにより、患者は複写された用紙を持ち帰って、これを自分用の記録とすることができる。これによって健康保険組合からの患者への調査（健康保険が適正に使われているかなど）に対応できる。複写方式は、カーボンコピーその他一般に複写用紙で使用されているものであれば任意の方式が利用可能であり、将来、携帯端末などにおいて撮影することにより患者がデータを保存できる場合は、そのためのマーカーを含む形式でもよい。
【００１４】
本発明の用紙には、他の必要事項を記載する箇所を設けてもよい。例えば、患者の署名欄などを設けるとともに、施術／診療機関の名称、住所などを記載する欄も設ける。
【産業上の利用可能性】
【００１５】
本発明は、保険適用診療と保険適用外診療とが混在している施術または医療分野において広く使用できる。
【図１】
2015127842.tif 000003
【図２】
2015127842.tif 000004
(57)【要約】      （修正有）【課題】世界中の言語をどの言語にも対応して翻訳を行なうことができる翻訳システムを提供する。【解決手段】コンピュータ（スマートホン等の通信端末を含む）内におけるソフトウエアを用い、１以上の言語をコンピュータ内で数字に変換し、変換された上記数字言語を送信し、それを受信したコンピュータ（スマートホン等の通信端末を含む）内においてソフトウエアを用い１以上の他の言語に翻訳する事のできる翻訳システム。【選択図】図１
2015127930.tif 000002
【特許請求の範囲】
【請求項１】
（イ）コンピュータ（スマートホン等の通信端末を含む）内におけるソフトウエアを用い、１以上の言語をコンピュータ内で数字に変換して、
（ロ）変換された上記数字言語を送信し、
（ハ）それを受信したコンピュータ（スマートホン等の通信端末を含む）内においてソフトウエアを用い１以上の他の言語に翻訳する事のできる翻訳システム。
【請求項２】
数字（１６進法を含む）にひとつの意味の言語を当てはめた請求項１の翻訳システム。
【請求項３】
近似の意味の言語を派生する数字で表した請求項１の翻訳システム。
【請求項４】
バーコード及びＱＲコードと互換性を持たせることのできる請求項１の翻訳システム。
【請求項５】
国際電話等の固有番号を、国を識別するための番号として用いる請求項１の翻訳システム。
【請求項６】
国を識別する番号に、更に地域番号を付加した請求項１及び５の翻訳システム。
【請求項７】
コンピュータ（スマートホン等の通信端末を含む）間の通信手段として、有線或いは無線通信を行うことのできる請求項１の翻訳システム。
【請求項８】
通信相手である個人或いは団体等に対する認証機能を持った請求項１の翻訳システム。
【発明の詳細な説明】
【発明の詳細な説明】
【技術分野】
【０００１】本発明は中間語（数字等の組み合わせ）を用い、コンピュータ（スマートホン等の通信端末を含む）に数字等で表現した言語で通信し合うことでの翻訳する事が出来るシステムに関するものである。
【背景技術】
【０００２】従来までの翻訳ソフトウエアは、主要な言語主体のものであり英語からフランス語、中国語から英語という風に、主要な言語を必要とする言語に翻訳するものが多かった。
【発明が解決しようとする課題】
【０００３】本発明は、世界中の言語をどの言語にも対応して翻訳を行なうことを課題としたものである。また、ひとつの意味を数字等で表すことで、誤訳となる危険性を防ぐことも課題とした。更に、コンピュータ（スマートホン等の通信端末を含む）には出来る限り言語の翻訳データを少なくするため、必要とする言語（母国語等）と中間語を有することで、翻訳の迅速性を追求した。
【課題を解決する為の手段】
【０００４】通信端末内に１以上で最小限の言語データを有し、これを用い数字等に当てはめる。当てはめられた数字等はコンピュータ（スマートホン等の通信端末を含む）を用い送信され、これを受信したコンピュータ（スマートホン等の通信端末を含む）はそのコンピュータ（スマートホン等の通信端末を含む）内にある言語データを用い、受信した数字等を必要とする言語に翻訳する。
【０００５】この場合、母国語（必要とする言語）と中間語のみの翻訳データがコンピュータ（スマートホン等の通信端末を含む）内に存在していれば、翻訳は可能なものとなる。このような翻訳システムを用いることで、本発明は課題を解決した。
【０００６】本発明においては、同じ意味の言語を近似的な番号で表記する事で、男女、年齢、地域の違いによる表現を分かりやすくするようにした。
【０００７】本発明は、バーコードやＱＲコード等のコード類と互換性を持たせることで、文字をコード化されたものにも対応が可能とした。
【０００８】国際電話の固有番号を用いることで、簡単に必要とする国を認識して言語の変換を容易とする事を、本発明に取り入れた。また、地域番号を用いることで、地域ごとの言語の差を表すことができた。
【０００９】本発明の通信手段として、有線或いは無線通信を用いても可能なものとした。
【発明の効果】
【００１０】本発明は、ＪＰＫＩ（公的認証システムで、ＵＦＣを含む）等を用いることで、通信相手である個人或いは団体等を識別することにより簡便な翻訳機能を迅速に行えるものとした。
【図面の簡単な説明】
【００１１】
【図１】コンピュータ（スマートホン等の通信端末を含む）（Ａ）とコンピュータ（スマートホン等の通信端末を含む）（Ｂ）が「私はおみやげを探しています」という通信を行なった場合。四角で囲んだ部分は各々のコンピュータ（スマートホン等の通信端末を含む）内での翻訳であり、数字等のデータを用い送信され、翻訳は各々が有する翻訳データを用い必要とする言語に配列され翻訳される。更に、コンピュータ（スマートホン等の通信端末を含む）（Ｂ）からコンピュータ（スマートホン等の通信端末を含む）（Ｃ）に送信され、翻訳が行われる。この場合、各々の数字が言語に対応し翻訳される。これは、相互に行うことができる。
【符号の説明】Ａはコンピュータ（スマートホン等の通信端末を含む）である。
Ｂはコンピュータ（スマートホン等の通信端末を含む）である。
Ｃはコンピュータ（スマートホン等の通信端末を含む）である。
【図１】
2015127930.tif 000003
(57)【要約】【課題】本発明によれば、耐腐敗性能が効率よく改良された排水の浄化方法を提供し得る。【解決手段】排水を排水口から排出する際に、排水を金属マグネシウムと接触させて、微生物の増殖を抑制した後に排出することを特徴とする。金属マグネシウムは、好適には通水性材料内に保持されて、排水流路内に装着されている。【選択図】図１
2015127033.tif 000002
【特許請求の範囲】
【請求項１】
排水を排水口から排出する際に、排水を金属マグネシウムと接触させて、微生物の増殖を抑制した後に排出することを特徴とする排水の浄化方法。
【請求項２】
接触が、排水口の入口またはその近傍で行われる請求項１に記載の排水の浄化方法。
【請求項３】
接触が、排水口下部のトラップ近傍で行われる請求項１または２に記載の排水の浄化方法。
【請求項４】
金属マグネシウムが粒状である請求項１〜３のいずれか１項に記載の排水の浄化方法。
【請求項５】
金属マグネシウムが通水性材料内に保持されて、排水流路内に装着されている請求項１〜４のいずれか１項に記載の排水の浄化方法。
【請求項６】
通水性材料が網またはパンチングメタルである請求項５に記載の排水の浄化方法。
【請求項７】
排水が生活排水または産業排水である請求項１〜６のいずれか１項に記載の排水の浄化方法。
【発明の詳細な説明】
【技術分野】
【０００１】
本発明は、排水の浄化法に関する。
【背景技術】
【０００２】
厨房等の流し台等においては、通常、排水口に流れた排水は、ごみ受けを経由して下部に設けられたトラップを通り、排水管に流れる。ここで、トラップにおいては、排水の一部が水封水としてトラップ内に留まる。しかしながら、排水口〜トラップを含む排水流路は、細菌、かび等の微生物の増殖による腐敗臭を発生しやすく、そのために、消臭、洗浄、除菌のために種々の方法が提案されている（特許文献１）。しかしながら、これらは耐腐敗性能を長期間維持するために、性能およびコストの点で必ずしも十分に満足すべきものとはいい難い。
【先行技術文献】
【特許文献】
【０００３】
【特許文献１】特開２０１０−９４５７６号公報
【発明の概要】
【発明が解決しようとする課題】
【０００４】
本発明は、耐腐敗性能が効率よく改良された排水の浄化方法を提供することを目的とする。
【課題を解決するための手段】
【０００５】
本発明は上記の問題を解決するために、以下の発明を提供するものである。
（１）排水を排水口から排出する際に、排水を金属マグネシウムと接触させて、微生物の増殖を抑制した後に排出することを特徴とする排水の浄化方法。
（２）接触が、排水口の入口またはその近傍で行われる上記（１）に記載の排水の浄化方法。
（３）接触が、排水口下部のトラップ近傍で行われる上記（１）または（２）に記載の排水の浄化方法。
（４）金属マグネシウムが粒状である上記（１）〜（３）のいずれかに記載の排水の浄化方法。
（５）金属マグネシウムが通水性材料内に保持されて、排水流路内に装着されている上記（１）〜（４）のいずれかに記載の排水の浄化方法。
（６）通水性材料が網またはパンチングメタルである上記（５）に記載の排水の浄化方法。
（７）排水が生活排水または産業排水である上記（１）〜（６）のいずれかに記載の排水の浄化方法。
【発明の効果】
【０００６】
本発明によれば、耐腐敗性能が効率よく改良された排水の浄化方法を提供し、悪臭の発生が防止され、さらには排水口、トラップ近傍に生じるぬめり発生が抑制され得る。
【図面の簡単な説明】
【０００７】
【図１】本発明に係る排水の浄化方法の一実施態様を示す概略図。
【発明を実施するための形態】
【０００８】
本発明の排水の浄化方法においては、排水を排水口から排出する際に、排水を金属マグネシウムと接触させて、微生物の増殖を抑制した後に排出する。
【０００９】
排水は、生活排水または産業排水であり、好適には台所排水、浴室排水、等の生活排水；工業排水；商業、サービス業等の第３次産業における厨房排水、浴室排水、等を含む。
【００１０】
これらの排水は有機物質を含むため、細菌、カビ等の微生物の栄養源となり得るため、排水が流れる環境は、それらの増殖に好適といえる。しかしながら、本発明においては、排水を金属マグネシウムと接触させることにより、微生物の増殖が抑制され、悪臭の発生が防止され、排水口、トラップ近傍に生じるぬめり発生が抑制される。このように増殖が抑制されるのは、排水中で金属マグネシウムにより発生する水素によると推測される。
【００１１】
金属マグネシウムとしては、高純度マグネシウム、たとえば純度９９．９％以上が微細な水素気泡を高密度に発生させ得るので最も好適であるが、マグネシウムを主成分とするマグネシウム合金も好適に使用される。添加元素としては、アルミニウム、亜鉛、リチウム等が一般的であるが、これらに限定されない。金属マグネシウムは、２〜１０ｍｍ、好ましくは３〜７ｍｍ程度の粒状で用いるのが、浄化効率、安全性等の点から好適である。
【００１２】
金属マグネシウムの使用量は、通常、流れる排水１００Ｌに対し、１０〜１００ｇ程度であるが、これらに制限されない。
【００１３】
金属マグネシウムまたはその合金を存在させる態様としては、接触が排水口の入口またで行われる方式、または接触が排水口下流のトラップ近傍で行われる方式が挙げられる。
【００１４】
上記方式において、金属マグネシウムは、通水性材料内に保持されて、排水流路内、好適には排水口の入口に装着されるのが好適である。通水性材料としては、網またはパンチングメタルの袋、等が挙げられる。網は、ポリエステル、ポリエチレン、ポリプロピレン、ナイロン等のプラスチックスネットまたはメッシュ；ステンレス、アルミニウム等のメッシュ（金網）；ステンレス、アルミニウム等のパンチングメタル；通水性材料の開口の大きさは、上記の粒状金属マグネシウムを保持できれば特に制限されない。
【００１５】
図１は、本発明に係る排水の浄化方法の一実施態様を示す概略図を示す。図１において、厨房のステンレス製流し台（図示せず）の排水口１にはごみ受け２が設けられ、３はトラップ蓋であり、水封水４を有し、ごみ受け２の上方には金属マグネシウムを収納したプラスチックス製のネット状袋５が装着されている。したがって、排水口に流れる排水は、金属マグネシウムと排水口入口で接触する。そして、微生物の増殖が抑制され、悪臭の発生が防止され、排水口、トラップ近傍に生じるぬめり発生が抑制される。
【産業上の利用可能性】
【００１６】
本発明によれば、耐腐敗性能が効率よく改良された排水の浄化方法を提供し得る。
【符号の説明】
【００１７】
１    排水口
２    ごみ受け
３    トラップ蓋
４    水封水
５    金属マグネシウムを収納したネット状袋
【図１】
2015127033.tif 000003
(57)【要約】      （修正有）【課題】ラダーシーケンスに於いて往復動作を実現させる為のタイマーの単一化と回路の簡略化を図り、遅延時間のバラツキを無くす。【解決手段】ＬＩＭＲ，ＬＩＭＬはリミットスイッチをトリガーとしたリレー接点であり、自己保持回路を応用しダイオードを結線することにより回路の切替を行う。各種モーターの正転逆転の反復制御に用いることができる。【選択図】図１
2015226457.tif 000002
【特許請求の範囲】
【請求項１】
ダイオードと汎用リレーを併用し往復動作を行う事項並びに動作実現に関する回路構成全般
【発明の詳細な説明】
【発明の概要】
【発明が解決しようとする課題】
【０００１】ラダーシーケンスに於いて往復動作を実現させる為に複数タイマを用いるのが一般的である。
当発明によりタイマーの単一化と回路の簡略化を図ることができる。
かつ単一化により遅延時間のバラツキを無くすことができる。
【図面の簡単な説明】
【０００２】
【図１】自己保持回路の応用しダイオードを結線することにより回路の切替を実現している。ＬＩＭＲ，ＬＩＭＬはリミットスイッチをトリガーとしたリレー接点である。
【実施例】
【０００３】各種モーターの正転逆転の反復制御に用いることができる。
トリガーと回転方向の２値を出力し各種ドライバーに対応している。
【表１】
2015226457.tif 000003
【産業上の利用可能性】
【０００４】リレー回路構成であるので半導体へのキャリーオーバーが容易であり発展性も期待できる。
具体的にはタイマー接点を短絡させることによりコンパレータとして用いる可能性も考えられる。
【図１】
2015226457.tif 000004
(57)【要約】      （修正有）【課題】適宜にリレー（０，１）を励磁することにより回転方向を決定することができる事を特徴とする、直流極性制御に纏わる汎用リレーによる制御方法【解決手段】シーケンサやＰＩＣ等を使わず、汎用リレー、スイッチ、電源を用意して制御する。シーケンサやＰＩＣ等のプログラム制御は不要であり、汎用性が比較的高く自在振子等などに適用できる。【選択図】図１
2015226458.tif 000002
【特許請求の範囲】
【請求項１】
当発明の直流極性制御に纏わる汎用リレーによる制御方法全般
【発明の詳細な説明】
【図面の簡単な説明】
【０００１】
【図１】適宜にリレー（０，１）を励磁することにより回転方向を決定することができる。
【図１】
2015226458.tif 000003
(57)【要約】      （修正有）【課題】マスクの替えの又、使用途中マスクの携帯できるケースを提供する。【解決手段】プラスチック製などのケースに未使用マスク収納スペース２を設け反対側に使用途中マスク収納スペース３も設ける。使用途中マスク収納スペース３に関しゴム止めフック１に使用途中マスクのゴムを引っ掛け固定する。又、使用途中マスク収納に際しマスクのゴムをゴム止めフックに掛けケースの蓋をする際、マスクのゴムの通りに関し、カットやスポンジ、シリコンなども取り付ける。【選択図】図１
2015226738.tif 000002
【特許請求の範囲】
【発明の詳細な説明】
【発明のポイント】
プラスチック製の容器とした携帯マスクケース又、使用途中の収納も備えた携帯マスクケース（抗菌加工などはより良い効果が有る）
【発明の動機】
花粉予防、風邪予防などのマスク装着を外出時に忘れる事が有る為又、マスクの持ち合わせが無くコンビニやドラックストアー等で購入を防げる。マスク装着使用時、どうしてもマスクを外すとポケットやカバン等に収納し再使用時にはクシャクシャでポケットやカバン等のばい菌などが付着し予防に成らない。
この使用途中収納付き携帯マスクケースだと外出時にマスクを忘れても、スペアーが有り又、再使用時は清潔で形状も使用時のままで長時間の使用が可能で有る。
【図面の簡単な説明】
【図１】  斜面
【図２】  拡大図
【図３】  断面図
【図１】
2015226738.tif 000003
【図２】
2015226738.tif 000004
【図３】
2015226738.tif 000005
【手続補正書】
【提出日】平成26年8月4日(2014.8.4)
【手続補正１】
【補正対象書類名】特許請求の範囲
【補正対象項目名】全文
【補正方法】変更
【補正の内容】
【特許請求の範囲】
【請求項１】
プラスチック製のケース２未使用マスク収納スペース３使用途中マスク収納スペースを設け、３使用途中収納スペース側に１ゴム止めフックを設け、図２拡大図ゴムの通り部にカット面を設け、又はスポンジやシリコンなどを設けた、使用途中収納付き携帯マスクケース。
(57)【要約】【課題】従来の的紙は的枠に貼り付ける際に、液体ノリや両面テープで的紙を貼り付けていた。工作時の手間はもちろん、ノリやテープを別途購入する必要性などが発生していた。【解決手段】的紙をシール状にすることで、材料の購入を一本化できるのと、的紙を貼り付ける工作時の手間を軽減できる。【選択図】図１
2015226739.tif 000002
【特許請求の範囲】
【請求項１】
的紙と接着剤を一体化させシール状にする。
【請求項２】
的紙裏のシール台紙を内側と外側の２重構造にする。
【発明の詳細な説明】
【技術分野】
【０００１】本発明は、弓道で使う的紙をシール状にして液体ノリや両面テープの購入の必要性をなくし、工作時の手間を軽減するものである。
【背景技術】
【０００２】弓道で使う的紙は旧来の手法にのっとり、液体ノリや両面テープを使い的枠に張り合わせていた。
【発明の概要】
【発明が解決しようとする課題】
【０００３】液体ノリや両面テープを使う場合、的紙以外にノリもしくは両面テープを別途購入する必要があった。【０００４】的紙の裏面に液体ノリを塗ったり、両面テープを貼り付けるなど、工作の手間が発生していた。【０００５】液体ノリで的紙を貼り付けた場合、液体ノリが乾くまでの数時間、的を使うことができなかった。
【図面の簡単な説明】
【０００６】
【図１】本発明であるシール状にした的紙と的枠についての説明である  （Ａ）は的紙の表に的をデザインしたものである。用途によってデザインは異なる。（Ｂ）的枠に接着させる際に、的枠の横側にかぶさる部分である。的枠にはりつけやすくするために切り込みが入っている。（Ｃ）はＡのシール面と台紙が一体になっている裏面図である。的枠に貼り付けた際、的枠の厚みを考慮して、Ａの直径よりも１センチ程度Ｂの直径は短くなる。（Ｄ）はＢのシール面と台紙が一体になっている裏面図である。Ｂ同様切り込みが入っているが、台紙をはがしやすくするため、Ｃ、Ｄの境界線上の手前まで切り込みが入るものとする。（Ｅ）は的紙を貼り付ける的枠である。これは中央部分があいた外枠でのみ構成される。（Ｆ）はＥにＡＢを貼り付けた完成図である。
【課題を解決するための手段】
【０００７】本発明品を的枠に貼り付ける際、的枠は木でできた外枠のみの外形であるため、的紙裏のシール台紙部分の外側（Ｄ）のみはがして的枠に接着させる
【０００８】使用済みの的紙の上に新しい的紙を重ね張りするときは、的紙裏のシール台紙部分の外側（Ｄ）と内側（Ｃ）をはがして古い的紙に重ねるように的枠に接着させる。
【発明の効果】
【０００９】本発明は、的紙をシール状にすることにより、ノリや両面テープなど的紙以外の工作用具購入の必要性をなくし、裏面にノリを塗りつけたり、両面テープを張るなど工作の手間を省くと同時に、的紙を貼り付けた後すぐに使用することが可能である。
【図１】
2015226739.tif 000003
(57)【要約】      （修正有）【課題】荷重のアンバランスを整えることができる就寝補助具を提供する。【解決手段】適度な柔軟性を持つ素材による枕状の部位１を、仙骨付近に当てることにより、臀部の沈みを防ぎ、部位１から、適度な柔軟性を持つ筒状の部位２が伸び、これを背骨に沿わせる。部位２によって、通常就寝時ほとんど荷重のかからない背骨にも荷重がかかり、その分頸部や肩部、背中の荷重を減らす。荷重を減らすことにより、健康上の様々な不具合を防止する。【選択図】図１
2015226740.tif 000002
【特許請求の範囲】
【請求項１】
腰用枕に筒状部位を繋げ、臀部の沈み込み防止と身体各部への荷重バランスを整えることの、両方を同時に満たすことを特徴とする、就寝補助具。
【請求項２】
前記筒状部位により、身体各部への荷重バランスを整える手段として荷重の一部を背骨に分散することを特徴とする、請求項１記載の就寝補助具。
【請求項３】
前記筒状部位は、適度な柔軟性を持つ素材により、無理なく背骨に荷重をかけるものであることを特徴とする、請求項１記載の就寝補助具。
【発明の詳細な説明】
【技術分野】
【０００１】  この発明は、健康上の不具合防止を目的とする就寝補助具に関する。
【背景技術】
【０００２】  ベッドなど比較的柔らかい寝具で就寝時、臀部が大きく沈み、頸部、肩部、背部、腰部への荷重バランスが悪くなるため体を痛めやすくなる。
それを回避するための、適切な寝具または就寝補助具がこれまで存在しなかった。臀部が沈まないようにする「腰痛緩和腰枕装置」といった発明は存在するが、荷重のアンバランスを整えるまでには至っていない。
【先行技術文献】
【０００３】
【特許文献１】  特開２０１０−１２５０７０  腰痛緩和腰枕装置
【発明の概要】
【発明が解決しようとする課題】
【０００４】  就寝時、臀部が必要以上に沈み、健康上の不具合が生じるのを防ぐ器具は、前記の通り先行技術として存在する。しかしながらそれらの器具で臀部の沈み込みを防いだ結果、身体の背面各部への荷重バランスが不適切な状態となる。【０００５】  身体各部への荷重がアンバランスのまま就寝すると、体重の重い人は特に、頸部から肩部に負担がかかり痛めやすい。また背中に荷重がかかり過ぎ、安眠を損なう。安眠を損ない睡眠の質が低下することは、さらなる健康上の不具合へと繋がる。【０００６】  つまり臀部の沈み込みを防ぐことと、身体各部への荷重バランスを整えることの両方を同時に満たすことが課題である。
【課題を解決するための手段】
【０００７】  適度な柔軟性を持つ素材による枕状の部位▲１▼を、仙骨付近に当てることにより、臀部の沈みを防ぐ。
また部位▲１▼から、適度な柔軟性を持つ筒状の部位▲２▼が伸び、これを背骨に沿わせる。部位▲２▼によって、通常就寝時ほとんど荷重のかからない背骨にも荷重を分散し、その分頸部や肩部、背中の荷重を軽減する。
【発明の効果】
【０００８】  この発明は、臀部の沈み込み防止と荷重バランスの改善を同時に満たす。結果、まず腰部や頸部、肩部の不具合を防止できる。また喘息患者や腎臓に問題のある方等は特に、背中への荷重が軽減されるため安眠に寄与する。
【図面の簡単な説明】
【図１】この発明を示す斜視図である。
【図２】従来技術の実施形態を示す断面図である。
【図３】この発明の実施形態を示す断面図である。
【発明を実施するための形態】
【０００９】  この発明を図１に、実施形態を図３に示す。
適度な柔軟性を持つ枕状の部位▲１▼を仙骨付近にあて、臀部の沈み込みを防ぐ。
また部位▲１▼から伸びる、適度な柔軟性を持つ筒状の部位▲２▼を背骨に沿ってあてる。部位▲２▼が、荷重の一部を背骨に分散する。
【実施形態の効果】
【００１０】  従来技術の実施形態を図２に示す。
従来技術にて、臀部の沈み込みを防ぐことはできた。またこの時、荷重バランスが変化し、頸部や肩部の荷重が若干軽減されるという一定の効果があった。しかし一方で、背中への負荷が増加した。
【００１１】  この発明では図３の示すように、通常なら荷重のほとんどかからない背骨に対し、荷重の一部を分散する。これにより身体の背面各部に、バランスよく荷重がかかるようになる。このため寝違えや腰痛などの不具合を生じにくくなり、また安眠に寄与する。
【符号の説明】部位▲１▼      臀部を支える枕状の部位
部位▲２▼      背骨を支える筒状の部位
【図１】
2015226740.tif 000003
【図２】
2015226740.tif 000004
【図３】
2015226740.tif 000005
(57)【要約】      （修正有）【課題】便座裏の排尿時の撥ね汚れを簡便に処理するシートを提供する。【解決手段】弱粘性の粘着材を片面に処理し、尿飛沫の吸着性にすぐれた高吸水性ポリマーや臭い吸着度の高い炭素粉末または炭素繊維などをまぜた紙または不織布で作成し、便座裏６に貼り付けて使用する使い捨てシート本体１で、便座裏前側半分くらいに取り付けられるよう概略Ｕ字型の形状で、取り外す際のためにつまみ部２を２か所以上設け、吸着面４側には汚れが目立ちにくい色や模様を配したもので、便座の掃除を簡単に済ますことができる。【選択図】図１
2015226742.tif 000002
【特許請求の範囲】
【請求項１】
尿の吸水性にすぐれた高吸水性ポリマーや臭い吸着度の高い炭素粉末または炭素繊維などをまぜた紙または不織布で作成し、弱粘性の粘着材を片面に処理し便座裏に貼り付けて使用し、便座裏前側半分くらいに貼り付けられるよう概略Ｕ字型の形状で、取り外す際のためのつまみを部を設け、吸着面側には汚れが目立ちにくい色や模様を配した使い捨て掃除シート。
【発明の詳細な説明】
【技術分野】
【０００１】  本発明は、便座裏の排尿時の撥ね汚れを簡便に処理するものである。
【背景技術】
【０００２】  便座裏の特に前側には排尿時に撥ねた飛沫状の汚れが付着する。ほっておくとなかな落ちないがんこな汚れとなり、掃除が大変でまた悪臭も放ってきて衛生上もよくない。これは現状の便器の形状、及び特に女性の小用時の身体上の構造に起因するものである。
このための掃除道具は現状では洗剤と雑巾類しかない。
【先行技術文献】
【特許文献１】
【０００３】不明
【特許文献】
【非特許文献】
【０００４】
【非特許文献１】なし
【発明の概要】
【発明が解決しようとする課題】
【０００５】  解決しようとする問題点は、便座裏に付着する撥ねた尿の飛沫を常時吸着させることである。また交換可能なように取り付けることである。このようにすれば便座裏の汚れと悪臭の原因を解消できる。
【課題を解決するための手段】
【０００６】  本発明は、便座裏に簡単に貼り付けて取り外しやすいように、弱粘着性の粘着材を片面に処理し、尿の吸水性及び臭いの吸着性にすぐれた紙または不織布で作成する。このために高吸水性ポリマーや炭素粉末または炭素繊維などをまぜた素材とする。また形状は便座裏前側半分くらいに取り付けられるよう概略Ｕ字型にし、取り外す際のためにつまみを部を２か所以上設けたものとする。また、吸着面側には汚れが目立ちにくい色や模様を配する。
【発明の効果】
【０００７】  本発明の便座裏吸着掃除シートは、便座裏に簡単に貼り付けて使用し、一週間程度使用できるもので、尿の撥ね汚れを吸着し、臭いの発生も抑えられるので、いつでも簡便な掃除で済み、便座を清潔に保つものである。また便座を跳ね上げたときにも特に女性は汚れを気にすることがなく使用でき、廃棄時にも簡単に取り外しができるものである。
【図面の簡単な説明】
【０００８】
【図１】  便座裏吸着掃除シートの実施方法を示した説明図。
【図２】  便座裏吸着掃除シートの実施方法を示した説明図。
【発明を実施するための形態】
【０００９】  便座裏前側半分くらいに取り付けられるよう概略Ｕ字型の形状で、取り外す際のためのつまみが２か所以上付いている。また、吸着側には汚れが目立ちにくい色や模様を配したものである。反対面には便座裏に簡単に貼り付けて使用できるよう弱粘性の粘着材が処理されている。
【実施例１】
【００１０】  「実施形態の効果」
この実施形態は、便座裏に貼り付けて尿飛沫を簡単に吸着し、臭いの発生も抑えることができる。また、貼り付けや取り外しも簡単で、便座を跳ね上げた時にも裏の汚れを気にすることなく使用できるものである。
【符号の説明】
【００１１】１  シート本体    ２  つまみ部    ３  粘着材面    ４  吸着面    ５模様や色処理
６  便座裏    ７  便器
【図１】
2015226742.tif 000003
【図２】
2015226742.tif 000004
(57)【要約】【課題】        ソファに人や物が寄りかかる際、取り付けられた敷物にその重量がかかるようにすることで、寄りかかる方向へソファがずれる事を防ぐ。【解決手段】    ソファに対し、棒（１）を設けた敷物（２）を取り付ける。ソファに寄りかかる人や物の重量がかかるように、ソファに取り付けた敷物を敷く。【選択図】図１
2015128557.tif 000002
【特許請求の範囲】
【発明の詳細な説明】
【技術分野】
【０００１】  この発明は、人や物がソファに寄りかかっても、ソファの配置された位置がずれないための機構に関するものである。
【背景技術】
【０００２】  従来、人がソファの前に座るなどして寄りかかると、壁や重量のある家具などで支えない限り、ソファは寄りかかる方向へずれてしまっていた。このずれを防ぐには家具用のシリコンシートなどでソファと床を粘着する必要があった。
【先行技術文献】
【特許文献】
【０００３】
【特許文献１】  なし
【発明の概要】
【発明が解決しようとする課題】
【０００４】  これは、次のような欠点があった。
従来、ソファがずれないよう壁を支えにすると、ソファの配置場所が制限されてしまい部屋の自由なレイアウトができなくなってしまう。また家具用のシリコンシートを取り付けた場合、もたれかかる人の体重によっては床との粘着力でソファを支えきれず、シリコンシートが剥がれてしまう。またソファを支えるほどに粘着してしまうと、ソファの配置換えや住居の引越しの際に粘着物をきれいに剥がすことが困難になる場合がある。本発明は以上のような欠点を解消するためになされるものである。
【課題を解決するための手段】
【０００５】  敷物に対し、ソファと敷物を取り付ける器具を設ける。本発明は、左記の構成よりなるソファのずれ防止機構である。
【発明の効果】
【０００６】  ソファと敷物が一体になっているので、敷物に人や物の重量がかかる状態でソファに寄りかかると、寄りかかるものの重量が敷物を固定し、敷物がソファを固定することとなる。これによって寄りかかるソファのずれを防止する。
【図面の簡単な説明】
【０００７】
【図１】  本発明の上面図と正面図である。
【図２】  本発明の使用方法の一例について上面図と正面図である。
【発明を実施するための形態】
【０００８】  以下、本発明を実施するための形態について説明する。
ソファに対し、棒（１）を設けた敷物（２）を取り付ける。ソファに寄りかかる人や物の重量がかかるように、ソファに取り付けた敷物を敷く。
【符号の説明】
【０００９】  １  棒
２  敷物
【図１】
2015128557.tif 000003
【図２】
2015128557.tif 000004
【手続補正書】
【提出日】平成26年3月20日(2014.3.20)
【手続補正１】
【補正対象書類名】特許請求の範囲
【補正対象項目名】全文
【補正方法】追加
【補正の内容】
【特許請求の範囲】
【請求項１】
棒（１）に敷物（２）を取り付けることで、ソファに取り付けることを可能とする棒付き敷物。